(57)【要約】【課題】  防水性が向上された圧力計を実現する。【解決手段】  大気導入口を有し大気導入口から導入された大気を基準にゲージ圧を測定する圧力計において、  一端側が前記大気導入口に接続された柱状の導入本体と、この導入本体に設けられ一端が前記大気導入口に連通され途中が屈曲され他端が前記導入本体の他端側の周面に開口口を開口する大気導入孔と、前記導入本体の他端側に取付けられ前記開口口と隙間を保って覆って設けられ前記導入本体と室を形成するキャップと、前記開口口に対向する個所以外の前記キャップの周面に貫通して設けられた貫通孔とを具備したことを特徴とする圧力計である。【選択図】                    図１
2005315619.tif 000002
【特許請求の範囲】
【請求項１】
大気導入口を有し大気導入口から導入された大気を基準にゲージ圧を測定する圧力計において、
一端側が前記大気導入口に接続された柱状の導入本体と、
この導入本体に設けられ一端が前記大気導入口に連通され途中が屈曲され他端が前記導入本体の他端側の周面に開口口を開口する大気導入孔と、
前記導入本体の他端側に取付けられ前記開口口と隙間を保って覆って設けられ前記導入本体と室を形成するキャップと、
前記開口口に対向する個所以外の前記キャップの周面に貫通して設けられた貫通孔と
を具備したことを特徴とする圧力計。
【請求項２】
前記大気導入孔は、他端側が分岐されて前記導入本体の他端側の周面に複数の開口口を有すること
を特徴とする請求項１記載の圧力計。
【請求項３】
前記開口口は前記導入本体の周面に設けられた凸部に開口したこと
を特徴とする請求項１又は請求項２記載の記載の圧力計。
【請求項４】
前記キャップは前記導入本体にねじ止め固定されたこと
を特徴とする請求項１乃至請求項３の何れかに記載の圧力計。
【請求項５】
前記キャップは前記導入本体に圧入固定されたこと
を特徴とする請求項１乃至請求項３の何れかに記載の圧力計。
【請求項６】
前記キャップは前記導入本体あるいはキャップに設けられたラッチを介して取付けられたこと
を特徴とする請求項１乃至請求項３の何れかに記載の圧力計。
【請求項７】
前記貫通孔はキャップの軸方向に設けられたスリットであること
を特徴とする請求項１乃至請求項６の何れかに記載の圧力計。
【請求項８】
前記導入本体は、前記キャップの開口端部において前記キャップの内直径寸法より外直径寸法が小さくされた段部を有すること
を特徴とする請求項１乃至請求項７の何れかに記載の圧力計。
【請求項９】
前記導入本体は、前記他端に前記キャップの底面に突き当たる突き当て部を有すること
を特徴とする請求項１乃至請求項８の何れかに記載の圧力計。
【請求項１０】
前記導入本体と前記キャップは、金属材よりなること
を特徴とする請求項１乃至請求項９の何れかに記載の圧力計。
【請求項１１】
前記導入本体と前記キャップは、ステンレス材よりなること
を特徴とする請求項１０記載の圧力計。
【請求項１２】
前記導入本体と前記キャップは、樹脂材よりなること
を特徴とする請求項１乃至請求項９の何れかに記載の圧力計。
【発明の詳細な説明】
【技術分野】
【０００１】
本発明は、防水性が向上された圧力計に関するものである。
【背景技術】
【０００２】
圧力計に関連する先行技術文献としては次のようなものがある。
【非特許文献１】横河電機株式会社発行、Ｕｓｅｒ’ｓ  Manual、番号：ＩＭ０１Ｃ２２Ｆ０１−０１「ＥＪＡ５３０  圧力伝送器［スタイル：Ｓ２］」、２００２年６月  初版、（Ｐ５−1図5．1．1）    （Ｐ１１−３  11．4外形図）    （Ｃｕｓｔｏｍｅｒ  Ｍａｉｎｔｅｎａｎｃｅ  Ｐａｒｔｓ  Ｌｉｓｔの部品１７，１８）
【０００３】
図５は、従来より一般に使用されている従来例の全体構成説明図で、図６は図５の側面図である。
圧力計１は大気導入口２を有し、大気導入口２から導入された大気を基準にゲージ圧を測定する。
大気導入口２には、柱状の導入本体３が接続されている。
【０００４】
この場合は、圧力計１に設けられた大気導入口２に、柱状の導入本体３がねじ込こまれ、Ｏリング４のシールによる大気導入路が構成されている。
導入本体３には、４方向の大気導入口５があり、４箇所全てが詰まらない限り機能を果たす。
そして、雨水や洗浄水などに対しては、圧力計１の半円状の傘部６と導入本体３のつば部７によって大気導入口２への侵入を遮断している。
【発明の開示】
【発明が解決しようとする課題】
【０００５】
しかしながら、このような装置においては、圧力計１に設けられた傘部５と導入本体３のつば部７との組み合わせで、初めて１つの防水機能を実現している
圧力計１に設けられた傘部６の開口部分が上を向いた状態で使用する場合には、圧力計１の傘部６が機能しないため、雨水や洗浄水などが大気導入口に流れ込むことになる。
【０００６】
本発明の目的は、上記の課題を解決するもので、大気導入口がどのような方向に配置されても水が侵入せず、防水は確保され、かつ確実な大気導入を維持することが出来、防水性が向上された圧力計を提供することを目的とする。
【課題を解決するための手段】
【０００７】
このような課題を達成するために、本発明では、請求項１の圧力計においては、
大気導入口を有し、大気導入口から導入された大気を基準にゲージ圧を測定する圧力計において、
一端側が前記大気導入口に接続された柱状の導入本体と、この導入本体に設けられ一端が前記大気導入口に連通され途中が屈曲され他端が前記導入本体の他端側の周面に開口口を開口する大気導入孔と、前記導入本体の他端側に取付けられ前記開口口と隙間を保って覆って設けられ前記導入本体と室を形成するキャップと、前記開口口に対向する個所以外の前記キャップの周面に貫通して設けられた貫通孔とを具備したことを特徴とする。
【０００８】
本発明の請求項２においては、請求項１記載の圧力計において、
前記大気導入孔は、他端側が分岐されて前記導入本体の他端側の周面に複数の開口口を有することを特徴とする。
【０００９】
本発明の請求項３においては、請求項１又は請求項２記載の圧力計において、
前記開口口は前記導入本体の周面に設けられた凸部に開口したことを特徴とする。
【００１０】
本発明の請求項４においては、請求項１乃至請求項３の何れかに記載の圧力計において、
前記キャップは前記導入本体にねじ止め固定されたことを特徴とする。
【００１１】
本発明の請求項５においては、請求項１乃至請求項３の何れかに記載の圧力計において、
前記キャップは前記導入本体に圧入固定されたことを特徴とする。
【００１２】
本発明の請求項６においては、請求項１乃至請求項３の何れかに記載の圧力計において、
前記キャップは前記導入本体あるいはキャップに設けられたラッチを介して取付けられたことを特徴とする。
【００１３】
本発明の請求項７においては、請求項１乃至請求項６の何れかに記載の圧力計において、
前記貫通孔はキャップの軸方向に設けられたスリットであることを特徴とする。
【００１４】
本発明の請求項８においては、請求項１乃至請求項７の何れかに記載の圧力計において、
前記導入本体は、前記キャップの開口端部において前記キャップの内直径寸法より外直径寸法が小さくされた段部を有することを特徴とする。
【００１５】
本発明の請求項９においては、請求項１乃至請求項８の何れかに記載の圧力計において、
前記導入本体は、前記他端に前記キャップの底面に突き当たる突き当て部を有することを特徴とする。
【００１６】
本発明の請求項１０においては、請求項１乃至請求項９の何れかに記載の圧力計において、
前記導入本体と前記キャップは、金属材よりなることを特徴とする。
【００１７】
本発明の請求項１１においては、請求項１０記載の圧力計において、
前記導入本体と前記キャップは、ステンレス材よりなることを特徴とする。
【００１８】
本発明の請求項１２においては、請求項１乃至請求項９の何れかに記載の圧力計において、
前記導入本体と前記キャップは、樹脂材よりなることを特徴とする。
【発明の効果】
【００１９】
以上説明したように、本発明の請求項１によれば、次のような効果がある。
設置方向に関係なく、防水性が確保出来、防水性が向上された圧力計が得られる。
水滴による詰り等が防止できるので、大気圧を確実に導入することが出来、安定した測定を実現できる圧力計が得られる。
【００２０】
本発明の請求項２によれば、次のような効果がある。
大気導入孔は、他端側が分岐されて、導入本体の他端側の周面に複数の開口口を有するので、大気導入孔の詰りの可能性を低減でき信頼性が向上された圧力計が得られる。
【００２１】
本発明の請求項３によれば、次のような効果がある。
開口口は導入本体の周面に設けられた凸部に開口したので、侵入した水は凸部によって開口口に届きにくく、防水性が向上された圧力計が得られる。
【００２２】
本発明の請求項４によれば、次のような効果がある。
キャップは導入本体にねじ止め固定されたので、固定が確実な圧力計が得られる。
【００２３】
本発明の請求項５によれば、次のような効果がある。
キャップは導入本体に圧入固定されたので、固定がより確実な圧力計が得られる。
【００２４】
本発明の請求項６によれば、次のような効果がある。
キャップは導入本体あるいはキャップに設けられたラッチを介して取付けられたので、キャップと導入本体との着脱が容易な圧力計が得られる。
【００２５】
本発明の請求項７によれば、次のような効果がある。
前記貫通孔はキャップの軸方向に設けられたスリットであるので、侵入した水もスリットから排出されやすい圧力計が得られる。
【００２６】
本発明の請求項８によれば、次のような効果がある。
前記導入本体は、前記キャップの開口端部において前記キャップの内直径寸法より外直径寸法が小さくされた段部を有するので、導入本体表面を流れてきた水は段部で阻止され、防水性が向上された圧力計が得られる。
【００２７】
本発明の請求項９によれば、次のような効果がある。
導入本体は、他端にキャップの底面に突き当たる突き当て部を有するので、導入本体へのキャップの組み立てが容易な圧力計が得られる。
【００２８】
本発明の請求項１０によれば、次のような効果がある。
導入本体とキャップは、金属材よりなるので、強度が容易に得られる圧力計が得られる。
【００２９】
本発明の請求項１１によれば、次のような効果がある。
前記導入本体と前記キャップは、ステンレス材よりなるので、耐食性が向上された圧力計が得られる。
【００３０】
本発明の請求項１２によれば、次のような効果がある。
導入本体とキャップは、樹脂材よりなるので、複雑な形状も容易に得られ安価な圧力計が得られる。
【発明を実施するための最良の形態】
【００３１】
以下本発明を図面を用いて詳細に説明する。
図１は、本発明の一実施例の全体構成説明図、図２は図１のＡ―Ａ断面図、図３は図１の要部部品説明図、図４は図１の要部部品説明図である。
図において、図５，図６と同一記号の構成は同一機能を表す。
以下、図５，図６と相違部分のみ説明する。
【００３２】
導入本体１１は、一端側が大気導入口２に接続され柱状をなす。
大気導入孔１２は、この導入本体１１に設けられ、一端が大気導入口２に連通され途中が屈曲され、他端が導入本体１１の他端側の周面に開口口１３を開口する。
この場合は、４箇所の開口口１３を有する。
【００３３】
キャップ１４は、導入本体１１の他端側に取付けられ、開口口１３と隙間を保って覆って設けられ、導入本体１１と室１５を形成する。
貫通孔１６は、開口口１３に対向する個所以外のキャップ１４の周面に貫通して設けられている。即ち、開口口１３に対向する個所には、貫通孔１６は存在しない。
この場合は、貫通孔１６はキャップ１４の軸方向にスリット状に設けられている。
【００３４】
この場合は、大気導入孔１２は、他端側が分岐されて、導入本体１１の他端側の周面に複数の開口口１３を有する。
また、開口口１３は導入本体１１の周面に設けられた凸部１７に開口している。
キャップ１４は導入本体１１あるいはキャップ１４に設けられたラッチ１８を介して取付けられている。
【００３５】
この場合は、ラッチ１８はキャップ１４に設けられている。
なお、キャップ１４は、導入本体１１にねじ止め固定されても良く、キャップ１４は導入本体１１に圧入固定されても良い。
導入本体１１は、キャップ１４の開口端部において、キャップ１４の内直径寸法より外直径寸法が小さくされた段部１９を有する。
【００３６】
また、導入本体１１は、他端にキャップ１４の底面に突き当たる突き当て部２１を有する
また、導入本体１１とキャップ１４は、金属材よりなる。
なお、導入本体１１とキャップ１４は、樹脂材よりなっても良い。
【００３７】
この結果、
以上説明したように、設置方向に関係なく、防水性が確保出来、防水性が向上された圧力計が得られる。
水滴による詰り等が防止できるので、大気圧を確実に導入することが出来、安定した測定を実現できる圧力計が得られる。
【００３８】
大気導入孔１２は、他端側が分岐されて、導入本体１１の他端側の周面に複数の開口口１３を有するので、大気導入孔１２の詰りの可能性を低減でき信頼性が向上された圧力計が得られる。
【００３９】
開口口１３は導入本体１１の周面に設けられた凸部１７に開口したので、侵入した水は凸部１７によって開口口１３に届きにくく、防水性が向上された圧力計が得られる。
キャップ１４は導入本体１１に設けられたラッチ１８を介して取付けられたので、キャップ１４と導入本体１１との着脱が容易な圧力計が得られる。
【００４０】
また、キャップ１４は導入本体１１にねじ止め固定されれば、固定が確実な圧力計が得られる。
また、キャップ１４は導入本体１１に圧入固定されれば、固定がより確実な圧力計が得られる。
貫通孔１６はキャップ１４の軸方向に設けられたスリットであるので、侵入した水もスリットから排出されやすい圧力計が得られる。
【００４１】
導入本体１１は、キャップ１４の開口端部において、キャップ１４の内直径寸法より外直径寸法が小さくされた段部１９を有するので、導入本体１１表面を流れてきた水は段部１９で阻止され、防水性が向上された圧力計が得られる。
【００４２】
導入本体は、他端にキャップの底面に突き当たる突き当て部２１を有するので、導入本体１１へのキャップ１４の組み立てが容易な圧力計が得られる。
導入本体１１とキャップ１４は、樹脂材よりなるので、複雑な形状も容易に得られ安価な圧力計が得られる。
【００４３】
導入本体１１とキャップ１４が、金属材よりなれば、強度が容易に得られる圧力計が得られる。
導入本体１１とキャップ１４が、ステンレス材よりなれば、耐食性が向上された圧力計が得られる。
【００４４】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【図面の簡単な説明】
【００４５】
【図１】本発明の一実施例の全体構成説明図である。
【図２】図１のＡ―Ａ断面図である。
【図３】図１の要部部品説明図である。
【図４】図１の要部部品説明図である。
【図５】従来より一般に使用されている従来例の全体構成説明図である。
【図６】図５の側面図である。
【符号の説明】
【００４６】
１        圧力計
２        大気導入口
３        導入本体
４        Ｏリング
５        大気導入口
６        傘部
７        つば部
７        低膨張係数金属体
１１      導入本体
１２      大気導入孔
１３      開口口
１４      キャップ
１５      室
１６      貫通孔
１７      凸部
１８      ラッチ
１９      段部
２１      突き当て部
【図１】
2005315619.tif 000003
【図２】
2005315619.tif 000004
【図３】
2005315619.tif 000005
【図４】
2005315619.tif 000006
【図５】
2005315619.tif 000007
【図６】
2005315619.tif 000008